(57)【要約】【課題】    本発明の目的は、顔面に密着し易いマスクを提供するものである。【解決手段】    マスクＭは、辺Ａ’Ｍ1の中途から辺ＡＭ2に向かって直線状又は曲線状に形成される部位の表側のマスク本体１と折られた裏側のマスク本体１とを接合する第１の接合部１０と、辺Ｄ’Ｍ4の中途から辺ＤＭ3に向かって直線状又は曲線状に形成される部位の表側のマスク本体１と折られた裏側のマスク本体１とを接合する第２の接合部２０と、辺Ｃ’Ｍ4の中途から辺ＣＭ3に向かって直線状又は曲線状に形成される部位の表側のマスク本体１と折られた裏側のマスク本体１とを接合する第３の接合部３０と、辺Ｂ’Ｍ1の中途から辺ＢＭ2に向かって直線状又は曲線状に形成される部位の表側のマスク本体１と折られた裏側のマスク本体１とを接合する第４の接合部４０とを備えている。【選択図】図１２
2009142599.tif 000002
【特許請求の範囲】
【請求項１】
複数枚積層された４頂点が裏側から見て時計回りにＡＢＣＤで構成される四角形状のマスク本体と、
このマスク本体の一方の辺ＡＢと該一方の辺ＡＢに対向する他方の辺ＤＣとが前記マスク本体の裏側に折られ、
折られた前記一方の辺ＡＢと前記他方の辺ＤＣとは平行に形成され、
前記裏側に折られた前記マスク本体の裏側から見て、裏側に折られた前記マスク本体は、４頂点が時計回りにＡ’Ｂ’Ｃ’Ｄ’で構成される四角形であり、この四角形Ａ’Ｂ’Ｃ’Ｄ’は、４頂点が時計回りにＡ’Ｂ’ＢＡで構成される四角形と４頂点が時計回りにＤＣＣ’Ｄ’で構成される四角形とを有し、
辺Ａ’Ｍ1（Ｍ1は辺Ａ’Ｂ’の中点）の中途から辺ＡＭ2（Ｍ2は辺ＡＢの中点）に向かって直線状又は曲線状に形成される部位の表側の前記マスク本体と折られた裏側の前記マスク本体とを接合する第１の接合部と、 
この第１の接合部の辺ＡＭ2に至る部位は、前記第１の接合部の辺Ａ’Ｍ1に至る部位から垂下した辺ＡＭ2に至る第１の垂下部位より前記頂点Ａに近い側にあり、
辺Ｄ’Ｍ4（Ｍ4は辺Ｃ’Ｄ’の中点）の中途から辺ＤＭ3（Ｍ3は辺ＣＤの中点）に向かって直線状又は曲線状に形成される部位の表側の前記マスク本体と折られた裏側の前記マスク本体とを接合する第２の接合部と、 
この第２の接合部の辺ＤＭ3に至る部位は、前記第２の接合部の辺Ｄ’Ｍ4に至る部位から垂直に延ばした辺ＤＭ3に至る第１の垂直部位より前記頂点Ｄに近い側にあり、
辺Ｃ’Ｍ4の中途から辺ＣＭ3（Ｍ3は辺ＤＣの中点）に向かって直線状又は曲線状に形成される部位の表側の前記マスク本体と折られた裏側の前記マスク本体とを接合する第３の接合部と、 
この第３の接合部の辺ＣＭ3に至る部位は、前記第３の接合部の辺Ｃ’Ｍ4に至る部位から垂直に延ばした辺ＣＭ3に至る第２の垂直部位より前記頂点Ｃに近い側にあり、
辺Ｂ’Ｍ1の中途から辺ＢＭ2に向かって直線状又は曲線状に形成される部位の表側の前記マスク本体と折られた裏側の前記マスク本体とを接合する第４の接合部と、
この第４の接合部の辺ＢＭ2に至る部位は、前記第４の接合部の辺Ｂ’Ｍ1に至る部位から垂下した辺ＢＭ2に至る第２の垂下部位より前記頂点Ｂに近い側にある
ことを特徴とするマスク。
【請求項２】
複数枚積層された４頂点が裏側から見て時計回りにＡＢＣＤで構成される四角形状のマスク本体と、
このマスク本体の一方の辺ＡＢと該一方の辺ＡＢに対向する他方の辺ＤＣとが前記マスク本体の裏側に折られ、
折られた前記一方の辺ＡＢと前記他方の辺ＤＣとは平行に形成され、
前記裏側に折られた前記マスク本体の裏側から見て、裏側に折られた前記マスク本体は、４頂点が時計回りにＡ’Ｂ’Ｃ’Ｄ’で構成される四角形であり、この四角形Ａ’Ｂ’Ｃ’Ｄ’は、４頂点が時計回りにＡ’Ｂ’ＢＡで構成される四角形と４頂点が時計回りにＤＣＣ’Ｄ’で構成される四角形とを有し、
辺Ａ’Ｍ1（Ｍ1は辺Ａ’Ｂ’の中点）の中途から辺Ａ’Ａに向かって直線状又は曲線状に形成される部位の表側の前記マスク本体と折られた裏側の前記マスク本体とを接合する第１の接合部と、 
辺Ｄ’Ｍ4（Ｍ4は辺Ｃ’Ｄ’の中点）の中途から辺Ｄ’Ｄに向かって直線状又は曲線状に形成される部位の表側の前記マスク本体と折られた裏側の前記マスク本体とを接合する第２の接合部と、 
辺Ｃ’Ｍ4の中途から辺Ｃ’Ｃに向かって直線状又は曲線状に形成される部位の表側の前記マスク本体と折られた裏側の前記マスク本体とを接合する第３の接合部と、 
辺Ｂ’Ｍ1の中途から辺ＢＢ’に向かって直線状又は曲線状に形成される部位の表側の前記マスク本体と折られた裏側の前記マスク本体とを接合する第４の接合部と、
を備えていることを特徴とするマスク。
【請求項３】
複数枚積層された四角形状のマスク本体の一方の辺ＡＢと該一方の辺ＡＢに対向する他方の辺ＤＣとが裏側に折られ、
折られた前記一方の辺ＡＢと前記他方の辺ＤＣとは、離間して平行に形成される折り工程と、
前記裏側に折られた前記マスク本体の裏側から見て、裏側に折られた前記マスク本体は、４頂点が時計回りにＡ’Ｂ’Ｃ’Ｄ’で構成される四角形であり、この四角形Ａ’Ｂ’Ｃ’Ｄ’は、４頂点が時計回りにＡ’Ｂ’ＢＡで構成される四角形と４頂点が時計回りにＤＣＣ’Ｄ’で構成される四角形とを有し、
前記折り工程の後、辺Ａ’Ｍ1（Ｍ1は辺Ａ’Ｂ’の中点）の中途から辺Ａ’Ａ又は辺ＡＭ2（Ｍ2は辺ＡＢの中点）に向かって直線状又は曲線状に形成される部位の表側のマスク本体と折られた裏側のマスク本体とを接合する第１の接合工程と、
前記折り工程の後、辺Ｄ’Ｍ4（Ｍ4は辺Ｃ’Ｄ’の中点）の中途から辺Ｄ’Ｄ又は辺ＤＭ3（Ｍ3は辺ＣＤの中点）に向かって直線状又は曲線状に形成される部位の表側のマスク本体と折られた裏側のマスク本体とを接合する第２の接合工程と、
前記折り工程の後、辺Ｃ’Ｍ4の中途から辺Ｃ’Ｃ又は辺ＣＭ3（Ｍ3は辺ＤＣの中点）に向かって直線状又は曲線状に形成される部位の表側のマスク本体と折られた裏側のマスク本体とを接合する第３の接合工程と、
前記折り工程の後、辺Ｂ’Ｍ1の中途から辺Ｂ’Ｂ又は辺ＢＭ2（Ｍ2は辺ＡＢの中点）に向かって直線状又は曲線状に形成される部位の表側のマスク本体と折られた裏側のマスク本体とを接合する第４の接合工程（ただし、第１の接合工程〜第４の接合工程は、折り工程の後であればその順序は問わない）とを有する
ことを特徴とするマスクの製造方法。
【発明の詳細な説明】
【技術分野】
【０００１】
本発明は、マスク及びマスクの製造方法に係り、特に、顔面に密着し易いマスク及びマスクの製造方法に関する。
【０００２】
マスクの吸排気面を多く取るための立体形状を形成するマスクがある（例えば、特許文献１参照）。
このマスクは、平坦中心部と、この平坦中心部の第１エッジに接合される第１の平部材と、前記平坦中心部の第２エッジに接合される第２の平部材とを備えている。
【特許文献１】特表平１１−５０１８４０号公報（図１〜図４）
【発明の開示】
【発明が解決しようとする課題】
【０００３】
しかしながら、上記のマスクにあっては、四角形状の平坦中心部の第１エッジに第１の平部材が、前記四角形状の平坦中心部の第２エッジに第２の平部材が、それぞれ接合され、第１の平部材及び第２の平部材を上下に広げても、四角形状の平坦中心部の４隅の部位は、第１の平部材及び第２の平部材の動きに追随せず、取り残され、第１の平部材及び第２の平部材の裏面側が、顔面に密着しても、四角形状の平坦中心部の４隅の部位は、顔面に密着せず、シール性が良くないと共に、見映えも良好でない。また、第１の平部材及び第２の平部材を四角形でなく略半円形状となっているため、略半円形状にカットすると共に、カットされた部位は、利用できず廃棄しなければならないという問題点があった。  
【０００４】
本発明は、上記の問題点を除去するようにしたマスク及びマスクの製造方法を提供することを目的とする。
【課題を解決するための手段】
【０００５】
本発明のマスクは、複数枚積層された４頂点が裏側から見て時計回りにＡＢＣＤで構成される四角形状のマスク本体と、このマスク本体の一方の辺ＡＢと該一方の辺ＡＢに対向する他方の辺ＤＣとが前記マスク本体の裏側に折られ、折られた前記一方の辺ＡＢと前記他方の辺ＤＣとは平行に形成され、前記裏側に折られた前記マスク本体の裏側から見て、裏側に折られた前記マスク本体は、４頂点が時計回りにＡ’Ｂ’Ｃ’Ｄ’で構成される四角形であり、この四角形Ａ’Ｂ’Ｃ’Ｄ’は、４頂点が時計回りにＡ’Ｂ’ＢＡで構成される四角形と４頂点が時計回りにＤＣＣ’Ｄ’で構成される四角形とを有し、辺Ａ’Ｍ1（Ｍ1は辺Ａ’Ｂ’の中点）の中途から辺ＡＭ2（Ｍ2は辺ＡＢの中点）に向かって直線状又は曲線状に形成される部位の表側の前記マスク本体と折られた裏側の前記マスク本体とを接合する第１の接合部と、この第１の接合部の辺ＡＭ2に至る部位は、前記第１の接合部の辺Ａ’Ｍ1に至る部位から垂下した辺ＡＭ2に至る第１の垂下部位より前記頂点Ａに近い側にあり、辺Ｄ’Ｍ4（Ｍ4は辺Ｃ’Ｄ’の中点）の中途から辺ＤＭ3（Ｍ3は辺ＣＤの中点）に向かって直線状又は曲線状に形成される部位の表側の前記マスク本体と折られた裏側の前記マスク本体とを接合する第２の接合部と、この第２の接合部の辺ＤＭ3に至る部位は、前記第２の接合部の辺Ｄ’Ｍ4に至る部位から垂直に延ばした辺ＤＭ3に至る第１の垂直部位より前記頂点Ｄに近い側にあり、辺Ｃ’Ｍ4の中途から辺ＣＭ3（Ｍ3は辺ＤＣの中点）に向かって直線状又は曲線状に形成される部位の表側の前記マスク本体と折られた裏側の前記マスク本体とを接合する第３の接合部と、この第３の接合部の辺ＣＭ3に至る部位は、前記第３の接合部の辺Ｃ’Ｍ4に至る部位から垂直に延ばした辺ＣＭ3に至る第２の垂直部位より前記頂点Ｃに近い側にあり、辺Ｂ’Ｍ1の中途から辺ＢＭ2に向かって直線状又は曲線状に形成される部位の表側の前記マスク本体と折られた裏側の前記マスク本体とを接合する第４の接合部と、この第４の接合部の辺ＢＭ2に至る部位は、前記第４の接合部の辺Ｂ’Ｍ1に至る部位から垂下した辺ＢＭ2に至る第２の垂下部位より前記頂点Ｂに近い側にある。
【０００６】
また、請求項２記載のマスクは、複数枚積層された４頂点が裏側から見て時計回りにＡＢＣＤで構成される四角形状のマスク本体と、このマスク本体の一方の辺ＡＢと該一方の辺ＡＢに対向する他方の辺ＤＣとが前記マスク本体の裏側に折られ、折られた前記一方の辺ＡＢと前記他方の辺ＤＣとは平行に形成され、前記裏側に折られた前記マスク本体の裏側から見て、裏側に折られた前記マスク本体は、４頂点が時計回りにＡ’Ｂ’Ｃ’Ｄ’で構成される四角形であり、この四角形Ａ’Ｂ’Ｃ’Ｄ’は、４頂点が時計回りにＡ’Ｂ’ＢＡで構成される四角形と４頂点が時計回りにＤＣＣ’Ｄ’で構成される四角形とを有し、辺Ａ’Ｍ1（Ｍ1は辺Ａ’Ｂ’の中点）の中途から辺Ａ’Ａに向かって直線状又は曲線状に形成される部位の表側の前記マスク本体と折られた裏側の前記マスク本体とを接合する第１の接合部と、辺Ｄ’Ｍ4（Ｍ4は辺Ｃ’Ｄ’の中点）の中途から辺Ｄ’Ｄに向かって直線状又は曲線状に形成される部位の表側の前記マスク本体と折られた裏側の前記マスク本体とを接合する第２の接合部と、辺Ｃ’Ｍ4の中途から辺Ｃ’Ｃに向かって直線状又は曲線状に形成される部位の表側の前記マスク本体と折られた裏側の前記マスク本体とを接合する第３の接合部と、辺Ｂ’Ｍ1の中途から辺ＢＢ’に向かって直線状又は曲線状に形成される部位の表側の前記マスク本体と折られた裏側の前記マスク本体とを接合する第４の接合部とを備えているものである。
【０００７】
また、請求項３記載のマスクの製造方法は、複数枚積層された四角形状のマスク本体の一方の辺ＡＢと該一方の辺ＡＢに対向する他方の辺ＤＣとが裏側に折られ、折られた前記一方の辺ＡＢと前記他方の辺ＤＣとは、離間して平行に形成される折り工程と、前記裏側に折られた前記マスク本体の裏側から見て、裏側に折られた前記マスク本体は、４頂点が時計回りにＡ’Ｂ’Ｃ’Ｄ’で構成される四角形であり、この四角形Ａ’Ｂ’Ｃ’Ｄ’は、４頂点が時計回りにＡ’Ｂ’ＢＡで構成される四角形と４頂点が時計回りにＤＣＣ’Ｄ’で構成される四角形とを有し、前記折り工程の後、辺Ａ’Ｍ1（Ｍ1は辺Ａ’Ｂ’の中点）の中途から辺Ａ’Ａ又は辺ＡＭ2（Ｍ2は辺ＡＢの中点）に向かって直線状又は曲線状に形成される部位の表側のマスク本体と折られた裏側のマスク本体とを接合する第１の接合工程と、前記折り工程の後、辺Ｄ’Ｍ4（Ｍ4は辺Ｃ’Ｄ’の中点）の中途から辺Ｄ’Ｄ又は辺ＤＭ3（Ｍ3は辺ＣＤの中点）に向かって直線状又は曲線状に形成される部位の表側のマスク本体と折られた裏側のマスク本体とを接合する第２の接合工程と、前記折り工程の後、辺Ｃ’Ｍ4の中途から辺Ｃ’Ｃ又は辺ＣＭ3（Ｍ3は辺ＤＣの中点）に向かって直線状又は曲線状に形成される部位の表側のマスク本体と折られた裏側のマスク本体とを接合する第３の接合工程と、前記折り工程の後、辺Ｂ’Ｍ1の中途から辺Ｂ’Ｂ又は辺ＢＭ2（Ｍ2は辺ＡＢの中点）に向かって直線状又は曲線状に形成される部位の表側のマスク本体と折られた裏側のマスク本体とを接合する第４の接合工程（ただし、第１の接合工程〜第４の接合工程は、折り工程の後であればその順序は問わない）とを有するものである。
【発明の効果】
【０００８】
請求項１記載のマスクによれば、辺ＡＢ、辺ＤＣの部位が離れるように、辺ＡＢ、辺ＤＣを上下に引っ張ると、立体形状を形成すると共に、第１の接合部、第２の接合部、第３の接合部、第４の接合部により、マスク本体も、平面視、弧状に変形して、辺ＡＢ、辺ＤＣの周縁部位が顔面に密着し易くなり、しかも、第１の接合部、第２の接合部、第３の接合部、第４の接合部を介して、四角形のマスク本体の四隅も引き寄せられ、該四隅も顔面に密着し易くなり、シール性を高め、更に、四角形状のマスク本体を加工するため、廃棄する部位も少ないマスクを得ることができる。
【０００９】
また、請求項２記載のマスクによれば、辺ＡＢ、辺ＤＣの部位が離れるように、辺ＡＢ、辺ＤＣを上下に引っ張ると、立体形状を形成すると共に、第１の接合部、第２の接合部、第３の接合部、第４の接合部により、マスク本体も、平面視、弧状に変形して、辺ＡＢ、辺ＤＣの周縁部位が顔面に密着し易くなり、しかも、第１の接合部、第２の接合部、第３の接合部、第４の接合部を介して、四角形のマスク本体の四隅も引き寄せられ、該四隅も顔面に密着し易くなり、シール性を高め、更に、四角形状のマスク本体を加工するため、廃棄する部位も少ないマスクを得ることができる。
【００１０】
また、請求項３記載のマスクの製造方法によれば、立体形状を形成すると共に、顔面に密着し易いマスクを、折り工程の後、辺Ａ’Ｍ1（Ｍ1は辺Ａ’Ｂ’の中点）の中途から辺Ａ’Ａ又は辺ＡＭ2（Ｍ2は辺ＡＢの中点）に向かって直線状又は曲線状に形成される部位の表側のマスク本体と折られた裏側のマスク本体とを接合する第１の接合工程と、
前記折り工程の後、辺Ｄ’Ｍ4（Ｍ4は辺Ｃ’Ｄ’の中点）の中途から辺Ｄ’Ｄ又は辺ＤＭ3（Ｍ3は辺ＣＤの中点）に向かって直線状又は曲線状に形成される部位の表側のマスク本体と折られた裏側のマスク本体とを接合する第２の接合工程と、
前記折り工程の後、辺Ｃ’Ｍ4の中途から辺Ｃ’Ｃ又は辺ＣＭ3（Ｍ3は辺ＤＣの中点）に向かって直線状又は曲線状に形成される部位の表側のマスク本体と折られた裏側のマスク本体とを接合する第３の接合工程と、
前記折り工程の後、辺Ｂ’Ｍ1の中途から辺Ｂ’Ｂ又は辺ＢＭ2（Ｍ2は辺ＡＢの中点）に向かって直線状又は曲線状に形成される部位の表側のマスク本体と折られた裏側のマスク本体とを接合する第４の接合工程（ただし、第１の接合工程〜第４の接合工程は、折り工程の後であればその順序は問わない）とを有するため、つまり、四角形状のマスク本体に、上述した第１の接合部、第２の接合部、第３の接合部、第４の接合部の加工を施すため、廃棄する部位も少ない顔面に密着しやすいマスクを効率得ることができる。
【発明を実施するための最良の形態】
【００１１】
本発明の一実施例のマスク及びマスクの製造方法を図面（図１乃至図１２参照）を参照して説明する。
図１に示したＭはマスクで、マスクＭは複数枚積層された四角形状となっている。マスクＭの両端には、耳に掛ける紐ｄ、ｅが超音波等溶着により接合されている。
【００１２】
マスクＭは、例えば、次のようにして製造される。
即ち、四角形状のマスク本体１は、図８に示すように、例えば、マスク本体１の裏側から見て、４頂点を時計回りにＡＢＣＤとなる四角形となっている。マスク本体１は、複数枚積層されていて、例えば、図６に示すように、外側に位置する表側カバー部材ａ、顔面に接する側である裏側カバー部材ｂ、この裏側カバー部材ｂと表側カバー部材ａとの間に位置するフィルター部材ｃとを有する。
先ず、図６に示すように、複数枚積層されたマスク本体１内に湾曲に変形する弾性部材Ｋを内在させ、図７に示すように、中央位置に置いた弾性部材Ｋの周囲を、例えば、超音波溶着して、弾性部材Ｋを所定位置に保持させる。ノーズクランプPは、マスク本体１の縁部を折って、図８に示すように、ノーズクランプPの周囲を、例えば、超音波溶着して、ノーズクランプＮを所定位置に保持させる。
【００１３】
複数枚積層された四角形状のマスク本体１は、図８及び図９に示すように、マスク本体１の裏側から見て、４頂点を時計回りにＡＢＣＤとなる四角形となっている。
複数枚積層された四角形状のマスク本体１の一方の辺ＡＢと該一方の辺ＡＢに対向する他方の辺ＤＣとが、図８及び図９に示す矢印方向に、マスク本体１の裏側に折られて、折られた一方の辺ＡＢと他方の辺ＤＣとは、図１０及び図１１に示すように、平行に形成される（折り工程）。
その結果、裏側に折られたマスク本体１の裏側から見て、裏側に折られたマスク本体１は、図１１に示すように、４頂点が時計回りにＡ’Ｂ’Ｃ’Ｄ’で構成される四角形が形成され、この四角形Ａ’Ｂ’Ｃ’Ｄ’は、４頂点が時計回りにＡ’Ｂ’ＢＡで構成される四角形と、４頂点が時計回りにＤＣＣ’Ｄ’で構成される四角形とを有することとなる。
【００１４】
Ｍ1は辺Ａ’Ｂ’の中点であり、Ｍ2は辺ＡＢの中点であり、Ｍ3は辺ＤＣの中点であり、Ｍ4は辺Ｃ’Ｄ’の中点である。
上述の折り工程の後、辺Ａ’Ｍ1の中途から辺ＡＭ2（又は辺Ａ’Ａ）に向かって曲線状（又は直線状）に形成される部位の表側のマスク本体１と折られた裏側のマスク本体１とを接合する（第１の接合工程）。接合は、例えば、超音波溶着で、第１の接合工程による第１の接合部位は１０である（図１２参照）。
この第１の接合部１０の辺ＡＭ2に至る部位Ｈは、第１の接合部１０の辺Ａ’Ｍ1に至る部位Ｇから垂下した辺ＡＭ2に至る第１の垂下部位Ｇ’より頂点Ａに近い側にある。
【００１５】
また、上述の折り工程の後、辺Ｄ’Ｍ4の中途から辺ＤＭ3（又は辺Ｄ’Ｄ）に向かって曲線状（又は直線状）に形成される部位の表側のマスク本体１と折られた裏側のマスク本体１とを接合する（第２の接合工程）。接合は、例えば、超音波溶着で、第２の接合工程による第２の接合部位は２０である（図１２参照）。
この第２の接合部２０の辺ＤＭ3に至る部位Ｉは、第２の接合部２０の辺Ｄ’Ｍ4に至る部位Ｊから垂直に延ばした辺ＤＭ3に至る第１の垂直部位Ｊ’より頂点Ｄに近い側にある。
【００１６】
また、上述の折り工程の後、辺Ｃ’Ｍ4の中途から辺ＣＭ3（又は辺Ｃ’Ｃ）に向かって曲線状（又は直線状）に形成される部位の表側のマスク本体１と折られた裏側のマスク本体１とを接合する（第３の接合工程）。接合は、例えば、超音波溶着で、第３の接合工程による第３の接合部位は３０である（図１２参照）。
この第３の接合部３０の辺ＣＭ3に至る部位Ｌは、第３の接合部３０の辺Ｃ’Ｍ4に至る部位Ｋから垂直に延ばした辺ＣＭ3に至る第２の垂直部位Ｋ’より頂点Ｃに近い側にある。
【００１７】
また、上述の折り工程の後、辺Ｂ’Ｍ1の中途から辺ＢＭ2（又は辺Ｂ’Ｂ）に向かって曲線状（又は直線状）に形成される部位の表側のマスク本体１と折られた裏側のマスク本体１とを接合する（第４の接合工程）。接合は、例えば、超音波溶着で、第４の接合工程による第４の接合部位は４０である（図１２参照）。
この第４の接合部４０の辺ＢＭ2に至る部位Ｍは、第４の接合部４０の辺Ｂ’Ｍ1に至る部位Ｎから垂下した辺ＢＭ2に至る第２の垂下部位Ｎ’より頂点Ｂに近い側にある。
なお、上述した第１の接合工程〜第４の接合工程は、折り工程の後であればその順序は問わない。つまり、第１の接合工程〜第４の接合工程を同時に行っても良く、また、第１、第２、第３、第４の接合工程の順序でも良く、また、逆に、第４、第３、第２、第１の接合工程の順序でも良い。
【００１８】
上述した第１の接合工程〜第４の接合工程の後、マスク本体１の両端に、紐ｄ、ｅをサイド部材５０、６０を介して、例えば、超音波溶着により接合してマスクＭを製造する。
従って、上述したマスクＭによれば、図４に示すように、辺ＡＢ、辺ＤＣの部位が離れるように、辺ＡＢ、辺ＤＣを上下に引っ張ると、立体形状を形成すると共に、第１の接合部１０、第２の接合部２０、第３の接合部３０、第４の接合部４０により、マスク本体１も、平面視、弧状に変形して、辺ＡＢ、辺ＤＣの周縁部位が顔面に密着し易くなり、しかも、第１の接合部１０、第２の接合部２０、第３の接合部３０、第４の接合部４０を介して、四角形のマスク本体１の四隅も引き寄せられ、該四隅も顔面に密着し易くなり、シール性を高め、更に、四角形状のマスク本体１を加工するため、廃棄する部位も少ないマスクＭを得ることができる。
【図面の簡単な説明】
【００１９】
【図１】図１は、本発明の一実施例のマスクの概略的裏面図である。
【図２】図２は、図１の２−２線による概略的断面図である。
【図３】図３は、図１の３−３線による概略的断面図である。
【図４】図４は、図１のマスクを装着する前の状態をマスクの裏面の側から見た概略的斜視図である。
【図５】図５は、図１のマスクを装着した状態の概略的側面図である。
【図６】図６は、図１のマスクの製造工程を示したもので、複数枚積層されたマスク本体の概略的分解斜視図である。
【図７】図７は、図６のマスクにノーズクランプ等を取り付けた状態の概略的斜視図である。
【図８】図８は、折り工程の前のマスクの概略的斜視図である。
【図９】図９は、図８のマスクの概略的側面図である。
【図１０】図１０は、図８のマスクを裏面側に折った状態の概略的側面図である。
【図１１】図１１は、図１０の概略的平面図である。
【図１２】図１２は、図１１の折り工程の後、第１の接合工程〜第４の接合工程を経た状態のマスクの概略的斜視図である。
【符号の説明】
【００２０】
Ｍ        マスク
１        マスク本体
１０      第１の接合部
２０      第２の接合部
３０      第３の接合部
４０      第４の接合部
【図１】
2009142599.tif 000003
【図２】
2009142599.tif 000004
【図３】
2009142599.tif 000005
【図４】
2009142599.tif 000006
【図５】
2009142599.tif 000007
【図６】
2009142599.tif 000008
【図７】
2009142599.tif 000009
【図８】
2009142599.tif 000010
【図９】
2009142599.tif 000011
【図１０】
2009142599.tif 000012
【図１１】
2009142599.tif 000013
【図１２】
2009142599.tif 000014